(57)【要約】【課題】ランス部の座屈を防止できる端子を備える電気コネクタ及びこの端子を提供することを課題とする。【解決手段】ランス部が、端子挿入過程で端子２０の係止部により圧せられて外方へ弾性変位しつつ係止部を通過可能に案内する案内面１６Ａと、端子挿入完了時に弾性変位が解除されて係止部に対面する係止前端面１６Ｂと、相手コネクタのハウジングと対面するようにランス部の外面に形成された被規制面１６Ｃとを有し、端子が接触部と結線部の間に弯曲部２５を有し、上記係止部が弯曲部の側壁をなす起立壁２６，２７の上縁から延びて形成されている電気コネクタにおいて、端子は、係止部２８Ａに加え、規制部２９Ａをも有し、係止部２８Ａと規制部２９Ａは弯曲部２４の両側の起立壁２６，２７の少なくとも一方の起立壁から他方の起立壁に向けて延びて形成され、規制部２９Ａは端子挿入完了時にランス部１６の内面と対面する規制面２９Ａ−１を有している。【選択図】図２
2010103049.tif 000002
【特許請求の範囲】
【請求項１】
ハウジングに形成された端子孔へ前方に向け挿入される金属板製の端子が、相手端子との接触のための接触部と、ケーブル結線のための結線部と、端子の挿入完了時に、上記端子孔の内壁の一部に形成されたランス部に係止する係止部とを有し、該ランス部は前方に延び外方に向け弾性変位可能な脚状をなしていて、該ランス部が、端子孔の前方に向け内方へ傾斜するように内面に形成され端子挿入過程で上記係止部により圧せられて外方へ弾性変位しつつ該係止部を通過可能に案内する案内面と、端子挿入完了時に上記弾性変位が解除されて係止部に対して後方から対面する係止前端面と、相手コネクタとの嵌合状態で該相手コネクタのハウジングと対面するように該ランス部の外面に形成された被規制面とを有し、端子が接触部と結線部の間に弯曲部を有し、上記係止部が該弯曲部の側壁をなす起立壁の上縁から延びて形成されている電気コネクタにおいて、
端子は、上記係止部に加え、規制部をも有し、該係止部と規制部は弯曲部の両側の起立壁の少なくとも一方の起立壁から他方の起立壁に向けて延びて形成され、上記規制部は端子挿入完了時にランス部の内面と対面する規制面を有していることを特徴とする電気コネクタ。
【請求項２】
端子は、係止部が一方の起立壁から他方の起立壁に向けて延び、規制部が上記他方の起立壁から上記一方の起立壁に向けて延びていることとする請求項１に記載の電気コネクタ。
【請求項３】
端子は、係止部が、端子の一方の起立壁の上縁部で前方に開口し後方に延びるスリットにより形成される係止腕部を他方の起立壁に向けて弯曲することにより作られていて、該係止腕部の後側板面が他方の起立壁の一部に接面し、前側板面が、端子挿入完了時に、ランス部の係止前端面と対面していることとする請求項１又は請求項２に記載の電気コネクタ。
【請求項４】
端子は、規制部が端子の他方の起立壁の上縁部で前方に開口し後方に延びるスリットにより形成される規制腕部を一方の起立壁に向け屈曲することにより作られていて、該規制部の板厚方向をなす側端面が規制面を形成していることとする請求項１ないし請求項３のうちの一つに記載の電気コネクタ。
【請求項５】
端子は、規制部が前後方向にてハウジングのランス部の被規制面と重複する範囲をもつ位置に設けられていることとする請求項１ないし請求項４のうちの一つに記載の電気コネクタ。
【請求項６】
相手端子との接触のための接触部と、ケーブル結線のための結線部と、端子の挿入完了時に、端子挿入のためのハウジングの端子孔の内壁の一部に形成されたランス部に係止する係止部とを有し、該ランス部は前方に延び外方に向け弾性変位可能な脚状をなしていて、該ランス部が、端子孔の前方に向け内方へ傾斜するように内面に形成され端子挿入過程で上記係止部により圧せられて外方へ弾性変位しつつ該係止部を通過可能に案内する案内面と、端子挿入完了時に上記弾性変位が解除されて係止部に対して後方から対面する係止前端面と、相手コネクタとの嵌合状態で該相手コネクタのハウジングと対面するように該ランス部の外面に形成された被規制面とを有し、端子が接触部と結線部の間に弯曲部を有し、上記係止部が該弯曲部の側壁をなす起立壁の上縁から延びて形成されている電気コネクタのための金属板製の端子において、
端子は、上記係止部に加え、規制部をも有し、該係止部と規制部は弯曲部の両側の起立壁の少なくとも一方の起立壁から他方の起立壁に向けて延びて形成され、上記規制部は端子挿入完了時にランス部の内面と対面する規制面を有していることを特徴とする端子。
【発明の詳細な説明】
【技術分野】
【０００１】
本発明は、電気コネクタ及びそのための端子に関し、特にハウジングの端子孔にランス部がそして端子に該ランス部と係止する係止部がそれぞれ設けられている電気コネクタ及び端子に関する。
【背景技術】
【０００２】
かかる電気コネクタとしては、特許文献１に開示されている電気コネクタ（以下、単に「コネクタ」ともいう）が知られている。この特許文献１のコネクタは、端子の後部にケーブルが結線された状態で前部の接触部からハウジングの端子孔へ挿入される。端子は抜け防止のための係止部を有し、ハウジングに設けられたランス部の前端面に該係止部が係止する。該ランス部は脚状をなし弾性を有していて、端子挿入過程で上記係止部に圧せられて弾性変位して該係止部がランス部の位置を通過可能としている。端子挿入完了時には、上記弾性変位が解除されて、上記係止部が上記ランス部の前端面に係止する。
【０００３】
端子挿入完了後には、ハウジングに箱状のキー部材が嵌着され、該キー部材の一部が上記ランス部の外側面に近接して対面し、ランス部の外側への弾性変位を不可とし、端子がケーブルにて不用意な抜出力を受けても、係止部が上記ランス部との係止を維持するように図られている。
【特許文献１】特開２００４−２８１２０７
【発明の開示】
【発明が解決しようとする課題】
【０００４】
特許文献１のコネクタにあっては、端子に結線されたケーブルが端子抜出方向、すなわち後方に不用意に引かれたとき、端子の係止部が脚状のランス部の前端面に当接し、端子の抜けが防止される。このケーブルの引張力が大きいときには、該引張力が係止部を介して上記ランス部の前端面に作用するので、脚状をなすランス部にはその長手方向に大きな圧縮応力を生ずることとなり、座屈する傾向を示す。特許文献１では、箱状のキー部材がランス部の外側面に近接して対面しているので、ランス部は外側への変位が上記キー部材により規制され、この外側への座屈は未然に防止される。
【０００５】
しかしながら、ケーブルに作用する力によっては、上記ランス部の座屈は、内側、外側のどちらに座屈しようとする力か判らない。したがって、特許文献１のコネクタでは、内側への座屈に対しては、何ら対応がなされていない。
【０００６】
本発明は、このような事情に鑑み、構造を複雑にすることなく、金属板を加工するだけで、内側へのランス部の変位をも規制でき、ランス部の座屈を防止できる端子を備える電気コネクタ及び端子を提供することを課題とする。
【課題を解決するための手段】
【０００７】
本発明に係る電気コネクタは、ハウジングに形成された端子孔へ前方に向け挿入される金属板製の端子が、相手端子との接触のための接触部と、ケーブル結線のための結線部と、端子の挿入完了時に、上記端子孔の内壁の一部に形成されたランス部に係止する係止部とを有し、該ランス部は前方に延び外方に向け弾性変位可能な脚状をなしていて、該ランス部が、端子孔の前方に向け内方へ傾斜するように内面に形成され端子挿入過程で上記係止部により圧せられて外方へ弾性変位しつつ該係止部を通過可能に案内する案内面と、端子挿入完了時に上記弾性変位が解除されて係止部に対して後方から対面する係止前端面と、相手コネクタとの嵌合状態で該相手コネクタのハウジングと対面するように該ランス部の外面に形成された被規制面とを有し、端子が接触部と結線部の間に弯曲部を有し、上記係止部が該弯曲部の側壁をなす起立壁の上縁から延びて形成されている。
【０００８】
このような電気コネクタそして端子において、本発明では、端子は、上記係止部に加え、規制部をも有し、該係止部と規制部は弯曲部の両側の起立壁の少なくとも一方の起立壁から他方の起立壁に向けて延びて形成され、上記規制部は端子挿入完了時にランス部の内面と対面する規制面を有していることを特徴としている。
【０００９】
上述の構成の本発明によれば、ハウジングの端子孔への端子挿入完了時には、端子の係止部がハウジングのランス部の係止前端面と前後方向で対面し、端子の規制部がランス部の内面と前後方向に対して直角な横方向で対面し、又、相手コネクタとの嵌合状態では、上記ランス部の外面に形成された被規制面が相手コネクタのハウジングと上記横方向で対面するようになる。したがって、端子が挿入されたコネクタに相手コネクタが嵌合している状態では、端子に結線されているケーブルが後方（端子抜出方向）へ不用意に引っ張られても、端子の係止部が上記ランス部の係止前端面に当接して、端子が抜出されることはない。ケーブルへ作用する抜出方向の力がかなり大きくても、ランス部は、その外面に形成された被規制面が相手ハウジングにより、そして内面が端子の規制部により規制されて、内外方向のいずれでも横方向変位できない。その結果、ランス部は、座屈することなく、正規の位置で上記端子の係止部との当接を安定して維持する。係止部そして規制部は、いずれも、二つの起立壁のうちのどちらから延びていてもよい。
【００１０】
本発明において、端子は、係止部から他方の起立壁に向けて延び、規制部が上記他方の起立壁から上記一方の起立壁に向けて延びているようにすることができる。このように、係止部と規制部が互いに逆側の起立壁から延びるようにすることにより、両起立壁の起立高さや強度のバランスがよくなる。
【００１１】
本発明において、端子は、係止部が、端子の一方の起立壁の上縁部で前方に開口し後方に延びるスリットにより形成される係止腕部を他方の起立壁に向けて弯曲することにより作られていて、該係止腕部の後側板面が他方の起立壁の一部に接面し、前側板面が、端子挿入完了時に、ランス部の係止前端面と対面しているようにすることができる。このような係止部は、ランス部の係止前端面と対面する面が前側板面であるので板厚面（板厚方向断面）よりも、面積を大きく確保でき、ランス部の係止前端面への当接可能面積が広くなるだけでなく、当接したときには、接圧が小さくなる。したがって、ランス部そして係止部の損傷の可能性を低下させる。上記係止腕部はその先端部が他方の起立壁の一部に接面しているようにすれば、端子が後方へ抜出方向に力を受けたときには、係止腕部の先端が上記他方の起立壁の一部によっても支持されるようになり、両持ち梁状をなすようになり、強度が増大する。
【００１２】
本発明において、端子は、規制部が端子の他方の起立壁の上縁部で前方に開口し後方に延びるスリットにより形成される規制腕部を一方の起立壁に向け屈曲することにより作られていて、該規制部の板厚方向をなす側端面が規制面を形成しているようにすることができる。規制腕部は上記係止腕部がランス部から受ける力に比し横方向に小さい力を受けるだけなので、片持梁状で十分であり、板厚面の面積でも十分に耐えることができる。又このように形成される規制腕部は、係止腕部と同様に単純にＬ字状に屈曲するだけで、容易に得られる形態となる。
【００１３】
本発明において、端子は、該端子の規制部が前後方向にてハウジングのランス部の被規制面と重複する範囲をもつ位置に設けられていることが好ましい。こうすることにより、ランス部はその延長方向で、ほぼ同一位置で、横方向でのランス部の内外両面で規制できるので、規制効果が良好となる。
【発明の効果】
【００１４】
本発明は、端子に、ランス部の係止前端面に係止する係止部を設け、ランス部の外面に形成された被規制面を相手コネクタのハウジングで規制することに加え、端子の規制部でランス部の内面を規制することとしたので、端子に作用する不用意な抜出力が大きくとも、上記ランス部は内側にも外側にも座屈することなく、上記係止部が所定位置で安定してランスの係止前端前と係止し、端子の抜け防止が一段と確実になる。
【発明を実施するための最良の形態】
【００１５】
以下、添付図面にもとづき、本発明の一実施形態としての電気コネクタ、これに用いられる端子について説明する。
【００１６】
図１は、本実施形態の電気コネクタ（以下「コネクタ」という）１０と相手コネクタ５０を、それらの嵌合前の状態で示す斜視図である。
【００１７】
図１において、コネクタ１０は、電気絶縁材で作られハウジング１１で保持された端子２０を有しており、該ハウジング１１に二列をなして形成された複数の端子孔１２のそれぞれに上記端子２０が挿入されている。端子孔１２は、図１にて上下に貫通しており、上側開口部１２Ａからは、端子２０に結線されたケーブル（図示せず）が延出可能であり、下側開口部１２Ｂ（図２参照）からは後述の相手コネクタ５０の端子の接触部が進入可能となっている。ハウジング１１の外側壁には突部１３が設けられており、この突部１３には係止孔１３Ａが形成されている。
【００１８】
相手コネクタ５０は、上記コネクタ１０の端子２０に対応する位置に、端子６０がハウジング５１により保持されている。該ハウジング５１は上記コネクタ１０の嵌合部分を受け入れる受入凹部５２が形成されている。該ハウジング５１の外側面には、上記コネクタ１０との嵌合時に抜け防止を行なう金属板製の係止部材５５が取り付けられており、該係止部材５５の上端が内方に屈曲して上記コネクタ１０のハウジング１１の係止孔１３Ａと係止する係止部５５Ａを形成している。上記端子６０は、金属板の板面を維持した平坦なものとして作られていて、上記ハウジング５１の底壁５３を貫通して上記受入凹部５２の底部で上方に向け位置する接触部６１と、底壁５３の下方で側方に向け屈曲された接続部６２とを有している（図２参照）。上記相手コネクタ５０については、コネクタ１０との関連で後に再度説明する。
【００１９】
コネクタ１０のハウジング１１には、図１でのII−II線断面を示す図２に見られるように、端子孔１２が形成されている。図２は、二列をなす端子孔１２が互いに対向している一つずつの端子孔１２を通る縦断面（端子は断面されていない）での上記コネクタ１０と相手コネクタ５０について嵌合前の状態で示している、図１におけるII−II線断面図である。図２において、コネクタ１０の端子孔１２は右側の列では端子２０（結線されるケーブルは省略）が挿入され、左側の列では端子が省略されて図示されている。
【００２０】
コネクタ１０のハウジング１１に形成された端子孔１２は、図１及び図２に見られるように、前後（図２にて縦方向）に延びる略角孔状をなしているが、縦方向での中間部に設けられた傾斜内面を経て後部（図２にて上部）が前部に対して広い内幅となっており、後述の端子２０の挿入に適合している。
【００２１】
ハウジング１１の側壁には、図１に見られるように、上記配列方向にて、隣接せる端子孔１２同士を区画している隔壁位置で、縦方向中間部から前方に延びる後部縦溝１４と、これらの後部縦溝１４を連通せしめる横溝１５とが形成されていて、隣接せる二つの後部縦溝１４と横溝１５とで前方に延びる脚状のランス部１６を各端子孔１２をなす側壁に形成している。該ランス部１６及びそれより前方部分を外方から見た拡大斜視図である図３にも見られるように、端子孔１２は、前端壁１２Ｃを有しているが、この前端壁１２Ｃには、相手コネクタ５０の板状端子の接触部が進入できるスリット状の貫通溝１２Ｄが形成されている。この貫通溝１２Ｄはハウジングの側壁に形成された前部縦溝１７に連通し、該前部縦溝１７は上記横溝１５に連通している。隣接せる二つの前部縦溝１７同士間には片状側壁１８が形成される。したがって、上述のごとく、後部縦溝１４は、上記配列方向で、隣接端子孔１２同士間の隔壁の位置、そして前部縦溝１７は端子孔１２の中央位置に存在しているので、図１そして図３に見られるように、同方向で後部縦溝１４と前部縦溝１７とは、端子孔１２の配列ピッチの半分の距離だけずれている。
【００２２】
ランス部１６は、上述のごとく、上記後部縦溝１４と横溝１５とにより前方に延びる脚状をなし弾性を有していて、図２において、横（左右）方向に弾性撓みが可能となっている。該ランス部１６は、端子孔１２を形成する内面が前方に向け内方へ傾斜する案内面１６Ａを形成しており、前端面が若干外方に向け上方へ傾斜する係止前端面１６Ｂをなしている。上記ランス部１６の前端側外面は、縦方向に延びていて被規制面１６Ｃをなしている。
【００２３】
図４，５に示されている端子２０は、金属板を抜き加工した後に屈曲加工を施して作られている。該端子２０は、図示されているように、前端側に接触部２１Ａが形成された接触片２１を、そして後端側に結線部２２そして保持部２３を有し、中間部には弯曲部２４を有している。
【００２４】
接触片２１は、起立した両側の壁部に上記後方向に延びて開口するように形成されたスリット２１Ｂにより前端側を自由端とする一対の片状として設けられている。両接触片２１は弾性を有し互いの対向方向に弾性撓みが可能であり、自由端寄り位置に互いの間隔を狭める喉部で接触部２１Ａを形成している。この一対の接触部２１Ａは、相手コネクタ５１の端子６０を挟圧してこの端子と弾性接触する。
【００２５】
結線部２２及び保持部２３は、それぞれ起立した両側の壁部でＵ字状をなす一対をなし、カシメがなされてケーブルを着圧結線そして保持するようになっており、前後に隣接して設けられている。結線部２２はケーブルの芯線を圧着結線し、保持部２３はケーブルを被覆で保持する。
【００２６】
上記接触部２１Ａを有する接触片２１そして結線部２２及び保持部２３は、すでに公知の形態であり、これ以上詳述しない。
【００２７】
前後方向で上記接触片２１と結線部２２との間に位置する弯曲部２４は、底壁２５の両側から起立する起立壁２６，２７を有し、両起立壁２６，２７はその板面が対向している。一方の起立壁２６の上縁から係止腕部２８が、そして他方の起立壁２７の上縁からは規制腕部２９が延出している。
【００２８】
上記係止腕部２８は、上記一方の起立壁２６の上縁側に、後方へ向け延びそして開口するスリット２６Ａにより腕状に形成された後にその基部近傍で板厚方向に対して直角に屈曲されて他方の起立壁２７に向けられている。この係止腕部２８の屈曲部から自由端までが係止部２８Ａを形成する。上記規制腕部２９は、他方の起立壁２７に、上記スリット２６Ａよりも下方位置、すなわち弯曲部２４の底壁２５寄りの位置で後方へ向け延びそして開口するスリット２７Ａにより腕状に形成された後に、その基部近傍で板厚方向に対して直角に屈曲されて上記一方の起立壁２６に向けられている。この規制腕部２９の屈曲部から自由端までが規制部２９Ａを形成する。該規制部２９Ａは上記係止部２８Ａよりも下方に位置している。
【００２９】
上記規制腕部２９が、係止腕部２８の係止部２８Ａよりも下方に位置している関係上、その高さの差を利用して該規制腕部２９の基部に隣接して上方に突出する突部３０が形成されており、本実施形態では、この突部３０の後端面３０Ａに上記係止部２８Ａの自由端の前側板面が当接可能に至近もしくは当接している。この係止部２８Ａの後側板面２８Ａ−１は、端子２０の端子孔１２への挿入後、ランス部１６の係止前端面１６Ｂと対面する。又、上記規制部２９Ａは自由端の端面が上記起立壁２６に近接しており、該規制部２９ＡのＬ字状の板厚側面で規制面２９Ａ−１を形成している。
【００３０】
かかる本実施形態の端子２０は、図６のごとくの金属板Ｍを打抜き等の加工で外形づけた後、屈曲加工して各部を図４，５に示された形とされる。図６では上記各部に、図４，５における対応部と同一符号を付しその説明は省略する。なお、図７において一点鎖線は、屈曲加工時の屈曲位置を示す線である。
【００３１】
すでに、概略を説明した相手コネクタ５０は、図１そして図２に示されるように、ハウジング５１に上記コネクタ１０を受入凹部５２が形成されている。図２に見られるように、この受入凹部５２は上記コネクタ１０を受け入れるのに適合した内面形状をなし、特に、コネクタ１０のランス部１６の外面に対応する内面は、導入斜面５２Ａ、開口側縦面５２Ｂ、中間斜面５２Ｃそして奥部縦面５２Ｄを順次有していて、ランス部１６の外面に沿った形をなしている。特に、上記奥部縦面５２Ｄは、コネクタ嵌合完了時には、コネクタ１０のランス部１６の前端側外面に形成された被規制面１６Ｃに近接して位置している。
【００３２】
かかる相手コネクタ５０に設けられた端子６０は、金属板の平坦面をそのまま維持して外形づけられていて、平板状の接触部６１と、その下端からハウジング５１外へ側方に延出する接続部６２とを有している。上記接触部６１の一方の側縁には係止突起６３が設けられていてハウジング５１の底壁５３に形成されたスリット状の貫通孔５３Ａから上記接触部６１が挿入され、上記係止突起６３が貫通孔５３Ａの側壁面に喰い込み、端子６０の抜けが防止される。上記接触部６１の板面は、その上部でコネクタ１０の端子２０との接触に、そして接続部６２は、該相手コネクタ５０が回路基板上に配されたときに、該回路基板の対応回路部との半田接続に、それぞれ寄与する。
【００３３】
次に、このような本実施形態の端子そしてこれを有するコネクタについての使用要領を説明する。
【００３４】
（１）先ず、図４，５に示された端子２０にケーブル（図示を省略）を圧着結線する。ケーブルは先端部で被覆が除去される。露呈する芯線を結線部２２に、そして被覆部分が保持部２３に位置するように該ケーブルを配し、上記結線部２２そして保持部２３がカシメられて、ケーブルが端子２０に圧着結線そして保持される。
【００３５】
（２）このようにして得られたケーブル付端子を、図１そして図２に示されるように、端子２０の接触部２１Ａ側からハウジング１１の端子孔１２へ開口部１２Ａを経て挿入する。挿入過程において、該端子２０の係止部２８Ａ（そして該係止部２８Ａの先端が当接せる突部３０）がハウジング１１のランス部１６の内面に沿って案内されつつ該ランス部１６の傾斜せる案内面１６Ａを圧して、該ランス部１６を外方へ撓むように弾性変形させ端子２０のさらなる挿入を可能とする。
【００３６】
（３）端子２０の上記係止部２８Ａがランス部１６の案内面１６Ａを通過すると、ランス部１６は係止部２８Ａからの力を受けなくなるので弾性変形から開放されて原形に復帰する。この状態で、ランス部１６は、係止前端面１６Ｂが上記端子２０の係止部２８Ａの後側板面２８Ａ−１と対面し、ランス部１６の内面たる案内面１６Ａが端子２０の規制部２９Ａの規制面２９Ａ−１と当接する。かくして、ケーブルが多少の不用意な引張力を受けても、端子２０は係止部２８Ａがランス部１６の係止前端面１６Ｂに係止して端子２０の抜けが防止される。ランス部１６は内方への撓みも上記端子２０の規制面２９Ａ−１との当接により生ずることはない。このようにして、各端子孔１２へケーブル付端子が挿入されて図１〜３に図示のコネクタ１０を得る。
【００３７】
（４）ケーブル付端子が挿入されたコネクタ１０は、図１そして図２（ケーブルの図示は省略）に示されるように、回路基板（図示せず）に取り付けられた相手コネクタ５０の上方位置にもたらされた後、降下させて該相手コネクタ５０の受入凹部５２へ挿入され嵌合が終了する（図７参照）。コネクタ１０の喉部をなす接触部２１Ａ同士間に相手コネクタ５０の板状の端子６０の接触部６１が進入し挟圧されて上記端子２０との電気的接続がなされる。又、コネクタ１０のランス部１６の外面は相手コネクタ５０の受入凹部５２の内面に面しており、特にランス部１６の外面に形成された被規制面１６Ｃが上記相手コネクタ５０の受入凹部５２の奥部縦面５２Ｄと近接して接面しているので、コネクタ嵌合状態で、ケーブル付端子のケーブルが不用意に引かれても、ランス部１６は上記奥部縦面５２Ｄにより、外方へ弾性変形できない。
【００３８】
（５）かくして、ランス部１６はコネクタ１０の端子２０の規制部２９Ａにより内方への弾性変形が規制され、コネクタ嵌合状態では相手コネクタ５０のハウジング５１により外方への弾性変形が規制されるので、該ランス部１６は係止前端面１６Ｂで端子２０の係止部２８から大きな力を受けても座屈することなく正規の位置を保つ。したがって、上記係止前端面１６Ｂでの端子２０の係止部２８との係止も確実に維持される。
【００３９】
本発明は、図示の形態に限定されず種々変形可能であり、例えば、接触部、結線部はどのような形態のものでもよい。接触部については、ピン状あるは板状の雄型でもよく、結線部は半田結線される形態でもよい。
【図面の簡単な説明】
【００４０】
【図１】本発明の第一実施形態のコネクタと相手コネクタの両コネクタについて嵌合前の状態における外観を示す斜視図である。
【図２】図１でのII−II線における両コネクタの断面図である。
【図３】図１における本実施形態のコネクタの要部について外観を示す斜視図である。
【図４】図１のコネクタに用いられる端子の斜視図である。
【図５】図４の端子の平面図である。
【図６】図４の端子についての展開図である。
【図７】図２における両コネクタの嵌合後の断面図である。
【符号の説明】
【００４１】
１０  コネクタ                  ２１Ａ  接触部
１１  ハウジング                ２２  結線部
１２  端子孔                    ２４  弯曲部
１６  ランス部                  ２６，２７  起立壁
１６Ａ  案内面                  ２６Ａ，２７Ａ  スリット
１６Ｂ  係止前端面              ２８Ａ  係止部
１６Ｃ  被規制面                ２８Ａ−１  後側板面
２０  端子                      ２９Ａ  規制部          
２９Ａ−１  規制面
【図１】
2010103049.tif 000003
【図２】
2010103049.tif 000004
【図３】
2010103049.tif 000005
【図４】
2010103049.tif 000006
【図５】
2010103049.tif 000007
【図６】
2010103049.tif 000008
【図７】
2010103049.tif 000009